(57)【特許請求の範囲】
【請求項１】
バックホウ（１）の油圧機構（２）を介してリンク動作するパワ−ショベル（３）と対向させて、前記パワ−ショベル（３）の上部縁先端フォ−ク配列（３ａ）と噛み合うフォ−ク配列（４ａ）を下端に有するフォ−クフレ−ム（４）を、バックホウ（１）のア−ム（１ａ）先端背中部に枢ピン（５）を介して枢着し、さらに該フォ−クフレ−ム（４）を、前記ア−ム（１ａ）背中部に一端（６ａ），（６ａ）を枢ピン（７）を介して枢着した平行連接杆（６），（６）の他端（６ｂ），（６ｂ）と前記フォ−クフレ−ム（４）の背上部に一端（８ａ），（８ａ）を枢ピン（９）を介して枢着した平行連接杆（８），（８）の他端（８ｂ），（８ｂ）とを連接ピン（１０）を介して連接するとともに、この連接ピン（１０）に前記パワ−ショベル（３）の後端上部に前記ア−ム（１ａ）を挟んで突設したホルダ−部（１２），（１２）に一端（１３ａ），（１３ａ）を枢着した平行作動杆（１３），（１３）の他端（１３ｂ），（１３ｂ）を連結して成るサポ−トリンク機構（１４）を介して、パワ−ショベル（３）と線対称方向に開閉連動動作するように装着したことを特徴とするバックホウにおけるパワ−ショベルのつかみフォ−クアタッチメント。
【請求項２】
フォ−クフレ−ム（４）が格子状を成す請求項１記載のバックホウにおけるパワ−ショベルのつかみフォ−クアタッチメント。
【発明の詳細な説明】
【０００１】
【発明の属する技術分野】
本発明は、バックホウにおけるパワ−ショベルにつかみ機能を付加するためのフォ−クアタッチメントに関する。
【０００２】
【従来の技術】
これまでにバックホウのア−ム先端部に、パワ−ショベルと協働してつかみ機能を果させるため、パワ−ショベル３と対向させて、一体的にはさみフォ−クを取り付けてリンクリンク動作させる態様のもの、或いはパワ−ショベルから独立して別の油圧系によりリンク動作させる態様のものが既に実施されている。
【０００３】
【発明の解決しようとする課題】
しかしこれらは、本来バックホウに既設のものとして工夫されたものであるため、所謂つかみバケットのバックホウの専用機種となり、通常のバケット作業をするためには別の機種を用意する必要がある（作業に併せて一々着脱することは作業性、労力の上から不可能に近い）。本来一台で済む作業を二台備えることはこの種重機の場合にあっては大きな経済的不利を伴う。
さらに、作業現場の状況において作業によって一々機種入替えをするのは、作業性を著しく損う。
【０００４】
【発明が解決しようとする課題】
本発明は、従来のかかる実情に鑑みてなされたもので、これまでの各種バックホウに後付け可能で、つかみ作業、抜根等が効率的に行なえ、不使用時には煽り状態に畳み上げて通常のパワ−ショベルとして機能するつかみフォ−クアタッチメントを提供する。
【０００５】
【課題を解決するための手段】
上記目的を達成するため、本発明は、バックホウ１の油圧機構２を介してリンク動作するパワ−ショベル３と対向させて、前記パワ−ショベル３の上部縁先端フォ−ク配列３ａと噛み合うフォ−ク配列４ａを下端に有するフォ−クフレ−ム４を、バックホウ１のア−ム１ａ先端背中部に枢ピン５を介して枢着する。
【０００６】
そして、さらにこのフォ−クフレ−ム４を、サポ−トリンク機構１４を介して、即ち前記ア−ム１ａ背中部に一端６ａ，６ａを枢ピン７を介して枢着した平行連接杆６，６の他端６ｂ，６ｂと前記フォ−クフレ−ム４の背上部に一端８ａ，８ａを枢ピン９を介して枢着した平行連接杆８，８の他端８ｂ，８ｂとを連接ピン１０を介して連接するとともに、この連接ピン１０に前記パワ−ショベル３の後端上部に前記ア−ム１ａを挟んで突設したホルダ−部１２，１２に一端１３ａ，１３ａを枢着した平行作動杆１３，１３の他端１３ｂ，１３ｂを連結して、パワ−ショベル３と線対称方向に開閉連動動作するように装着してある。
【０００７】
【発明の実施の形態】
本発明は、以上のように構成され、これまでのバックホウ本体には、そのア−ム１ａ背中部にフォ−クフレ−ム４自体を枢着するための枢支部４ｂ及び平行連接杆６，６の一端６ａ，６ａを枢着するための枢支部６ｃを固設し、またパワ−ショベル３の後端上部にア−ム１ａを挟んで平行作動杆１３，１３の一端１３ａ，１３ａを枢着するためのホルダ−部１２．１２を固設する。
【０００８】
そして上記のように、バックホウ１の油圧機構２を介してリンク動作するパワ−ショベル３と対向させて、前記パワ−ショベル３の上部縁先端フォ−ク配列３ａと噛み合うフォ−ク配列４ａを下端に有する格子状のフォ−クフレ−ム４を、バックホウ１のア−ム１ａ先端背中部に枢ピン５を介して枢着する。
【０００９】
そしてさらに、このフォ−クフレ−ム４を、サポートリンク機構１４を介して、即ち前記ア−ム１ａ背中部に一端６ａ，６ａを枢ピン７を介して枢着した平行連接杆６，６の他端６ｂ，６ｂと前記フォ−クフレ−ム４の背上部に一端８ａ，８ａを枢ピン９を介して枢着した平行連接杆８，８の他端８ｂ，８ｂとを連接ピン１０を介して連接するとともに、この連接ピン１０に前記パワ−ショベル３の後端上部に前記ア−ム１ａを挟んで突設したホルダ−部１２，１２に一端１３ａ，１３ａを枢着した平行作動杆１３，１３の他端１３ｂ，１３ｂを連結して、パワ−ショベル３と線対称方向に開閉連動動作するように装着してある。
【００１０】
【作用】
本発明は以上のように構成され、パワ−ショベル３の動作は、これまでのバックホウと同様油圧系によりバケット機能を果す。
そして、このパワ−ショベル３と対向させて設けた同一油圧系にて動くフォ−クフレ−ム４の線対称方向の開閉連動動作により、つかみ作業を可能とする。
また、つかみ作業が不要の時は、フォ−クフレ−ムを煽り状態に畳み上げて固定することにより、通常のパワ−ショベルとして機能する。
【００１１】
今、その動作原理を、より詳細に述べると、図２にパワ−ショベル３とフォ−クフレ−ム４の閉じ状態が示され、図３に開き状態が示される。
図４に油圧系と本発明にかかるサポ−トリンク機構１４との関連動作が示される。
即ち、同図の閉じ状態において油圧ピストンＰを押し上げてリンク動作によりパワ−ショベル３を垂直方向から内側方向へ回動させる（開く）と、これに伴ってホルダ−部１２，１２が回動し、平行作動杆１３，１３が他端１３ｂ，１３ｂを連結してある連接ピン１０を突き上げる。
【００１２】
その結果、図３に示すようにフォ−クフレ−ム４が、サポ−トリンク機構１４を介して、枢ピン５を基点として垂直方向から外側方向へ回動する（開く）。
【００１３】
逆に、図３の状態から油圧ピストンＰを押し下げるとリンク動作によりパワ−ショベル３を内側方向から垂直方向へ戻す（開じる）と、これに伴ってホルダ−部１２，１２が垂直方向に戻って、サポ−トリンク機構１４の平行作動杆１３，１３が他端１３ｂ，１３ｂを介して連接ピン１０を引戻し、フォ−クフレ−ム４が外側方向から垂直方向に回動して、そのフォ−ク配列４ａとパワ−ショベル３のフォ−ク配列３ａとが噛み合う。即ちフォ−クフレ−ム４はパワ−ショベル３と線対称方向に開閉連動動作する仕組みである。
【００１４】
さらに図５に示すように、サポ−トリンク機構１４の平行連接杆６，６の一端６ａ，６ａの枢ピン７及び平行作動杆１３，１３の一端１３ａ，１３ａの枢着部を外した上、パワ−ショベル３の内側回動動作を利用してフォ−クフレ−ム４を枢ピン５を基点として上方へ（ア−ム１ａの腹部側へ）畳み上げて、前記フォ−クフレ−ム４の上部に設けたボルト孔４ｃと畳み上げによって符合する前記ア−ム１ａ背中部に固設した枢支部４ｂに設けたボルト孔４ｄにボルト１５を挿通しナット１６締め固定することにより、通常のバケット機能を果たすバックホウに変身する。
【００１５】
なお、フォ−クフレ−ム４を、長期間使用しない場合は、ボルト１５ナット１６を外し、フォ−クフレ−ム４を下方に降ろした状態で枢ピン５を抜取ることにより容易に取り外しができ、再び取り付けたい場合は、元位置で枢ピン５を差し込むことによりつかみフォ−クの機能が復活する。
【００１６】
【発明の効果】
本発明は以上のようで、これまでの各種バックホウに後付け可能で、不使用時には煽り状態に畳み上げて通常のパワ−ショベルとして機能するつかみフォ−クアタッチメントを実現したものであり、重機の用尽性、作業効率の向上をもたらす上でまことに有利なものである。
【図面の簡単な説明】
【図１】パワ−ショベルとフォ−クフレ−ムの開いた状態の斜視図
【図２】パワ−ショベルとフォ−クフレ−ムの閉じ状態の斜視図
【図３】バックホウ油圧系と本発明にかかるサポートリンク機構との関連動作を示し、（イ）がパワ−ショベルとフォ−クフレ−ムの開き動作の側面図、（ロ）が同閉じ動作の側面図、
【図４】フォ−クフレ−ムを畳み上げた状態の斜視図
【図５】畳み上げ直前のフォ−クフレ−ムとア−ムとの固定手段を示す部分拡大斜視図
【符号の説明】
１      バックホウ
１ａ    ア−ム
２      油圧機構
３      パワ−ショベル
３ａ    フォ−ク配列
４      フォ−クフレ−ム
４ａ    フォ−ク配列
４ｂ    枢支部
４ｃ    ボルト孔
４ｄ    ボルト孔
５      枢ピン
６      平行連接杆
６ａ    平行連接杆の一端
６ｂ    平行連接杆の他端
７      枢ピン
８      平行連接杆
８ａ    平行連接杆の一端
８ｂ    平行連接杆の他端
９      枢ピン
１０      連接ピン
１２      ホルダ−部
１３      平行作動杆
１３ａ    平行作動杆の一端
１３ｂ    平行作動杆の他端
１４      サポ−トリンク機構
１５      ボルト
１６      ナット
【図１】
0003551866.tif 000002
【図２】
0003551866.tif 000003
【図３】
0003551866.tif 000004
【図４】
0003551866.tif 000005
【図５】
0003551866.tif 000006